(57)【要約】      （修正有）【課題】背荷物を背負ったままで素早く着脱でき、また脱衣した上衣を着衣者の背側に留めておくことが可能な前開き上衣を提供する。【解決手段】前開き上衣１００の袖付け部２１近辺に袖付けを一周するループ４を紐通し部材２で取り付けていることにより、着衣時に腕を袖部２０に通すと同時にループ４の輪をも腕がくぐり抜けることになる。前身頃１０から袖部２０に縫い付けられたファスナー３０を全開にすれば、上衣が分離し脱衣が可能となり、ループ４により脱衣された前記前開き上衣１００は背側に保持され、前身頃脇側１１に縫い付けられた挟み込み部材５により、揺れ動く前身頃中央側裾部１５、袖口部２２、を挟み込み固定することを特徴とする。【選択図】図２
2011153383.tif 000002
【特許請求の範囲】
【請求項１】
前開き上衣であり、前身頃胴回り部の位置から前身頃胸回り部を経由して少なくとも袖口部付近の位置まで設けられたファスナーと、袖付け部付近に設けられ、前記ファスナーを開放する際に分離される前身頃中央側と前身頃脇側とをその袖付け部付近において所定の距離をもって連結可能な連結部材とを有していることを特徴とした前開き上衣。
【請求項２】
前記連結部材は、前記前身頃中央側と前記前身頃脇側のそれぞれの袖付け部裏側部分近傍に設けられていることを特徴とする請求項１記載の前開き上衣。
【請求項３】
前記ファスナーを開放後、当該着衣者から前記前開き上衣の身頃、袖を脱衣させた時、前記連結部材が架橋となり前記身頃中央側、前記袖部を当該着衣者の背側に留めておくことができる請求項１又は２記載の前開き上衣。
【請求項４】
前記連結部材は、柔軟な索体からなる両端が相互に連結された単一のループであって、
前記袖付け部裏側付近に当該袖筒の円周方向に沿って表裏布間に形成した通路に収挿する形式、または前記袖付け部裏側付近に当該袖筒の円周方向に沿って裏面に開穿された複数の孔に挿通する形式、または前記袖付け部裏側付近に当該袖筒の円周方向に沿って裏面に設けた適当数装着された筒型形状の紐通し部材に挿通する形式、のいずれかによって摺動可能に設けられていることを特徴とする請求項１から３記載の前開き上衣。
【請求項５】
身頃の下方付近に設けられており、前記前身頃中央側裾部および前記袖口部を当該身頃の下方付近に固着可能な固着部材を設けた請求項１から４記載の前開き上衣。
【発明の詳細な説明】
【技術分野】
【０００１】
本発明は、背荷物を背負ったまま着脱でき、脱衣した場合には身頃を着衣者の背側に留めることが可能な前開き上衣に関する。
【背景技術】
【０００２】
上衣には、利用される場面・利用者の相違によって様々な機能・構造が求められるものがある。例えば、着脱を繰り返す必要がある場面で利用される上衣の場合、一人で容易に素早く衣服を着脱することが可能であったり、また脱いだ後、上着はそのまま身に付けておけるような機能・構造が求めれられる。
【０００３】
このような機能・構造を満たすために、例えば特許文献１には、左右の袖口内側から襟にかけてファスナーを設け、また腰部に帯の機能を設けることを特徴とする衣類が開示されている。
【先行技術文献】
【特許文献】
【０００４】
【特許文献１】特公平８−２０９４０８号公報（第１図）
【発明の概要】
【発明が解決しようとする課題】
【０００５】
上記特許文献１に開示されている従来技術によれば、上衣を脱ぐ際に、襟から袖口内側へ向かってファスナーを下げ、その開口部から容易に一人で上半身を出すことができる点で有益であり、その一例としてウインター・スポーツ（スキーやスノーボード等）用のウェアーとして利用した場合の着脱が示されている。
しかしながら例えば着衣者が背荷物を背負っている状態での着脱が考慮されていない。
上記のような問題点に鑑みて、本発明の前開き上衣は背荷物を背負ったまま着脱でき、且つ脱衣した場合には上衣が背側に留まることが可能な前開き上衣を提供することを目的とする。
【課題を解決するための手段】
【０００６】
本発明は、前開き上衣の左右前身頃から袖にかけてファスナーを縫い付け、袖付け部には袖付けを一周するループを紐通し部材により取り付けてあることにより、ファスナーを全開にすると前開き上衣が分離され、脱衣が可能となり、ループにより脱衣された前身頃中央側と前身頃脇側とが袖付け部付近に所定の距離を隔てて保持され、且つ前身頃脇側に縫い付けられた挟み込み部材により背側に押しやられた前身頃、袖部、を挟み止めることを特徴とする。
【０００７】
本発明のループは柔軟な索体からなる両端が相互に連結された単一の連結部材であって、（i）前記袖付け部裏側付近に当該袖筒の円周方向に沿って表裏布間に形成した通路に収挿する形式、または、（ii）前記袖付け部裏側付近に当該袖筒の円周方向に沿って裏面に開穿された複数の孔に挿通する形式、または、（iii）前記袖付け部裏側付近に当該袖筒の円周方向に沿って裏面に設けた適当数装着された筒型形状の紐通し部材に挿通する形式、のいずれかによって摺動可能に設けられていることを特徴とする。
本発明の挟み込み部材は、着衣者の背側に留められた前記前身頃中央側裾部と前記袖口部とを挟み込むことを特徴とする。
【発明の効果】
【０００８】
請求項１により本発明の前開き上衣は、背荷物を背負ったままで素早く着脱でき、さらに脱衣した前開き上衣を着衣者の背側に留めておくことが可能で、且つ脱衣した前開き上衣が揺れ動くことがない。
具体的には、本発明の実施形態による前開き上衣は、ファスナー開閉により着脱が可能であり、脱衣した場合は、ループによって背側に背荷物を留めておけ、挟み込み部材により揺れ動かないようにすることができる。
【０００９】
すなわち、背荷物を背負ったまま本発明の前開き上衣のファスナーを開くと、ループが紐通し部材を摺動し、腕と身体を脱衣させるため、前開き上衣からの脱衣が可能となり、脱衣された前開き上衣は、ループが前身頃中央側と前身頃脇側とを連結していることで背側に留まることができる。
さらに請求項５により、背側に留まっている前開き上衣の前身頃中央側裾部および袖口部は揺れ動き防止のために固着される。
この結果、背荷物を背負ったままで上衣を素早く着脱でき、さらに脱衣した上衣を着衣者の背側に留め、また固着することが可能となるのである。
【図面の簡単な説明】
【００１０】
【図１】本発明の一実施例による前開き上衣の正面図である。
【図２】本発明の一実施例による、前開き上衣であり、背荷物を装着し、且つファスナーを全開した状態の正面図である。
【図３】本発明の一実施例による前開き上衣であり、ファスナーを全開した状態の展開図である。
【図４】本発明の一実施例による前開き上衣の展開図であり、肩付近拡大正面図である。
【図５】本発明の一実施例による、前開き上衣であり、背荷物を装着し、且つ脱衣したことを示す正面図である。
【図６】本発明の一実施例による、前開き上衣のであり、背荷物を装着し、且つ脱衣したことを示す背面図である。
【発明を実施するための形態】
【００１１】
本発明の一つの実施形態を実施例にもとづき図面を参照して説明する。以下の説明では、適宜、特許請求の範囲に記載した用語と実施形態との対応を説明するが、それらの実施形態は特許請求の範囲に記載した各用語によって表される構成の一例であって、本発明の範囲がそれらの実施形態に限定されることを意図するものではない。
【００１２】
図１は、本発明の一実施例による前開き上衣１００の正面図である。上衣１００は、前身頃１０、釦（ボタン）６、前身頃中央側１２、前身頃脇側１１、前身頃中央側裾部１５（前身頃の裾部であって、ファスナー３０を開ける際に分割される釦６側の裾部を意味する）、袖部２０、袖口部２２、ファスナー（線ファスナー）３０を備えている。なお、従来の上衣と同様に含まれる部材の説明は省略する。
【００１３】
ファスナー３０は、前身頃胴回り部１４から開き始まり、前身頃胸回り部１３を経て袖口ファスナー開き止まり３１まで連続して設けられる。前身頃脇側１１と前身頃中央側１２とは、それぞれファスナー３０によって分離（開放）される箇所を示しており、１１は脇側、１２は中央側（脇側とは反対の側・前身頃の中心側）である。図１はファスナー３０が閉じられた状態である。
【００１４】
開き止まり３１は、少なくとも袖口部付近の位置に設けられていればよい。その他の実施形態として、脱衣の容易さを考慮して、開き止まりの無い、袖と身頃とを完全に分離するオープンファスナーを使用してもよい。ただし、オープンファスナーの場合、完全に分離された状態で着衣するには、ファスナー尻を片手で噛み合わせなければならないので、図１のように一部でも結合している開き止まり３１のある本実施形態であれば着衣しやすく好ましい。
【００１５】
また図１に示すように、前開き上衣１００は上衣の左側及び右側の両方にファスナー３０を装着する実施形態により、完全な脱衣が可能となる。ファスナーは脇下、袖下線の縫い合わせを利用して、縫製するのが合理的だが、着用者は通常の状態では腕を降ろしているのでファスナーは常に二つ折れになっており、ファスナーの劣化が生じやすく開閉がスムーズにいかなくなる可能性がある。また着衣者自身でファスナーを開閉する場合は、反対側の脇下まで手を伸ばすのは例えば高齢者の場合には容易ではない。それら問題解決のため図１の実施形態でのファスナー３０の取り付け位置は、胴回り、胸回りを通り全体として曲線で縫い付けられている。
【００１６】
さらにこの位置の縫製は、ダーツを縫う工程を省くことができる。実施形態では、ファスナー３０は、裾側から袖側にかけて、前開き線と脇下線との間のほぼ中央を胸の頂上を通って設けられ、胸の頂上付近から、袖付け部の肩と脇下との中央位置に向けて曲がり、その袖付け部の位置から袖口部に向かう線を通るように連続的に設けられている。
【００１７】
ファスナー３０の実施形態は図１に示す線ファスナーが妥当であるが、開閉できるのであれば、スライドファスナー具、面ファスナー具、フック具、ボタン具、その他いかなる方法を用いても差し支えない。  
【００１８】
図２は、図１の前開き上衣１００を着衣者が通常に着用した状態で背荷物１を背負い、釦６を開放し、ファスナー３０を全開にした正面図である。身頃下方付近の裏地側には、固着部材の実施形態としての挟み込み部材５が設けられている（図３を用いて後述）。背荷物１の背荷物紐３は着衣者の肩に掛かったままの状態で、ファスナー３０はファスナー開き止まり３１まで開かれている。紐通し部材２は袖付け部２１の裏面に、袖の筒の円周方向（袖筒周りの方向）に沿って複数縫い付けられ、摺動可能なように、ループ４（「連結部材」の実施形態）が設けられている（図４および図５にて説明）。以上のとおり、前開き上衣の左右前身頃から袖にかけてファスナー３０を縫い付け、袖付け部には袖付けを一周するループ４を紐通し部材２により取り付けている。
【００１９】
図２に示すように、ファスナー３０を全開すると、前身頃中央側１２と前身頃脇側１１との間の袖付け部の裏側部分近傍に設けられているループ４は、それら前身頃中央側１２と前身頃脇側１１とをその袖付け部付近において着衣者の腕をまたいで所定の距離（ループ４の円周長さ等によるが、通常は３から１５ｃｍ程度が好ましい）を持って連結している。
【００２０】
図２ではループ４はファスナー３０の内側に留まっており、前身頃中央側１２は着衣者と背荷物紐３の間に挟まれたままで背荷物１を背負ったまま降ろすことなく背側に移動させ脱衣している状態である。このように、ファスナー３０を開放することによって、着衣者は、前身頃中央側１２から袖にかかる部分を脱衣することができる。その一方で、ループ４により、上記の通り、袖付け部付近において、前身頃中央側１２と前身頃脇側１１とを着衣者の腕をまたいでつないでおくことができる。言い換えると、ループ４は、前記前身頃中央側と、脱衣させた袖部とを当該着衣者の背側に留めておく架橋として機能する。（図３及び図４は、次項「２．ループ（連結部材）の説明」にて後述する。）
【００２１】
図５は図２の着衣者が背荷物１を背負ったままで、腕から袖部２０を脱衣し、「固着部材」または「挟み込み部材」の実施形態としての挟み込み部材５に、前身頃中央側裾部１５および袖口部２２を挟み込んだ正面図である。挟み込み部材５は、着衣者の背側に留められた前身頃中央側裾部と袖口部とを挟み止めておくことができる。
【００２２】
上述のように、本実施形態では、ファスナー３０の一端を前身頃中央側裾部１５から開き始めることで、前身頃の左側及び右側がそれぞれ左右に分離される。具体的には図５によれば、左前身頃が（胴回り部・胸回り部付近で）左右に分離される。分離された前身頃中央側１２は着衣者の腕をまたいで後方へ回り、揺れ動く状態になる。その一方で分離された前身頃脇側１１はファスナー３０の開放前後で位置が変わることがなく比較的移動が少ない。つまり、前身頃脇側１１は、揺れ動く状態となった前身頃中央側１２及び、脱衣された袖部２０を固定するために、実施形態では、その下方付近（図５では身頃裏側下方付近）に挟み込み部材５を設けた。
【００２３】
以上のように、ファスナー３０の一端を前身頃の裾端から開き始めるようにして（胴回り部・胸回り部付近で）左右に分離することにより、身頃の一部を脱衣可能にする一方で分離された部分同士を互いに保持することが可能となるという点は従来技術にはない本発明の実施形態の特徴の一つであって、これは本願発明者独自の発想によるものである。
【００２４】
図５の背面図である図６に示すように、前開き上衣１００は、そのまま背荷物１との間（着衣者の背中付近）に留まっている。なお、図６では、他の部材と交差して左右に延在する背荷物紐３を、便宜上○印を付したうえで他の部材と区別して表している。本実施形態によれば、前開き上衣１００が、背荷物１を降ろすことなく背負ったままで容易に脱衣され、且つ、脱衣された前開き上衣１００は下に擦り落ちずに背側に留まっていることが理解されよう。
【００２５】
したがって、本実施形態によれば、着衣者が背荷物１を背負ったまま降ろさずに、前開き上衣を脱衣でき、且つ前開き上衣自体を着衣者の背側に留めておくことができるという効果を奏する。つまり、着衣者が、例えば登山等を行う際に、背荷物を降ろさずに容易に上衣の着脱を繰り返すことができ、温度調節（気温の変化に応じた体感温度の調節等）を簡易に行うことが可能となる。
（ループ［連結部材］の説明）  
【００２６】
上述した、袖付け部の裏側部分近傍にループ４が固定されている点について詳細に説明する。前開き上衣１００の袖付け部２１近辺に袖付けを一周するループ４を紐通し部材２で取り付けていることにより、着衣時に腕を袖部２０に通すと同時にループ４の輪をも腕がくぐり抜けることになり、わざわざループに腕を通す煩わしさは無い。
【００２７】
図３は、着衣者が着用していないときの図２の前開き上衣１００の展開図である。ループ４は、袖付け部２１の裏側付近に腕周り方向（袖筒周りの方向）に沿って適当数装着された筒型形状の紐通し部材２に、両端が相互に連結されたうえで腕周りを一周させ、摺動可能にされている。ループ４は、柔軟な索体からなる両端が相互に連結された単一のループであればよいが、本実施形態では、例示として紐を採用している。紐以外に、テープ、ベルトを用いてもよい。
【００２８】
前身頃中央側１２と前身頃脇側１１とを着衣者の腕をまたいでつないでおくだけの連結紐では、脇下に余分な紐が常にある状態で着心地が悪くなり、またファスナーの開閉時には紐を噛みスムーズにいかなくなる恐れがある。実施形態でのループ４は余分な紐を腕周りに一周させることで、開閉のスムーズさを向上させている。より好ましくは、裏地には滑る生地、例えばポリエステル生地、ナイロン生地等を使用することで、ループにして腕周りを一周させても、ファスナーを開ければ瞬時に脱衣できる簡便さから、
移動しながらの開閉も可能となる。
【００２９】
実施形態における紐通し部材２は例示として、ズボンのベルト通し状の紐通しを袖付け部２１の裏側部分近傍に適当数縫着してループ４を摺動可能にしている。
（ループ４のその他の実施形態）
【００３０】
（i）袖付け部２１の裏側部分近傍に、袖筒の円周方向に沿って表裏布間に形成した通路に収挿する形式。
【００３１】
（ii）袖付け部２１の裏側部分近傍に袖筒の円周方向に沿って裏面に開穿された複数の孔に挿通して装着する形式。
上記（i）の、通路を表裏布間に形成する具体例としては、例えば、袖付け部２１の裏側部分近傍の表地と裏地との間に袖周り方向に所定の幅（約２ｃｍ）の通路を縫製によって形成し、その中へループ４を収挿し摺動可能にすればよい。上記（ii）の袖付け部２１の裏側部分近傍に筒型形状に沿って裏面に開穿された複数の孔とは、具体的には袖付け部２１の袖周り方向の裏地のみに所定の直径（約２ｃｍ）の複数の孔を開穿し、その孔をぬってループ４を挿通すればよい。
【００３２】
図４は、図３の肩付近を拡大した図である。実施形態としてのループ４の取りつけ位置は図４で示すように前身頃中央側１２と前身頃脇側１１との間の袖付け部２１の裏側部分近傍であるが、取り付け位置が袖付け部２１の上に重なっても差し支えない。
（挟み込み部材（固着部材）の説明）
【００３３】
図６では、図２で背側に移動させられた状態の前身頃中央側１２が、脱衣された前身頃脇側１１とともに挟み込み部材５に挟み込まれている。挟み込み部材５は、身頃の下方付近（裾付近）、例えば裾位置から２０ｃｍ以内（好ましくは１０ｃｍ、より好ましくは５ｃｍ以内）に設けられている。
【００３４】
前身頃中央側裾部１５及び袖口部２２の両部材は、ファスナー３０を開けることによって着衣者から脱衣され自由に揺れ動く状態になるが、挟み込み部材５によって両部材をまとめて（束ねて）挟み込むことにより、着衣者の邪魔とならない状態にすることができるという効果を奏する。
【００３５】
より具体的には、図２において、袖部２０の内側に留まっている腕を開いたファスナー３０から外側へ脱衣させる時、その腕の動きによりループ４は袖部２０の内側から外側へと押し出される（ループ４に対して、着衣者の背中から胸部に向かう方向への力が働く）。同時にループ４は、図４に示す袖付け部２１の裏面に沿って縫着された複数の紐通し部材２を摺動し、その結果、図５に示すように、前身頃中央側１２、前身頃脇側１１、袖部２０は背側へと移動し着衣者の背側に留めておくことができ、着衣者の上半身は脱衣した状態（前身頃が脱がされた状態）になる。脱衣させた背側の前身頃中央側１２と袖部２０はそのままでは揺れ動き、歩く際の妨げとなるので、前身頃脇側１１の裏下付近に固着部財である挟み込み部材５が設けられ、挟み止めるよう構成されている。
【００３６】
実施形態における挟み込み部材５は例示として伸び縮みすることで挟み易くなるゴム（所定の幅を持つゴムバンド）を採用している。剥離可能な状態で一体として固着できるのであれば、ホックや、マジックテープ（登録商標）などその方法は問わない。また固着場所として図５に示すように人目に着かずに外観がすっきりして見える前身頃脇側１１の裏下付近が望ましいが他の場所でもかまわない。
【産業上の利用可能性】
【００３７】
本発明による前開き上衣は、背荷物を背負ったままで素早く着脱できるとともに脱衣した状態で着衣者の背側に留めておくことが可能であり、例えばトレッキングウェア等の登山服、あるいは普段着としても好適に採用し得る。
【符号の説明】
【００３８】
１    背荷物              
２    紐通し部材          
３    背荷物紐          
４    連結部材（ループ）              
５    挟み込み部材        
６    釦                  
１０  前身頃              
１１  前身頃脇側        
１２  前身頃中央側        
１３  前身頃胸回り部
１４  前身頃胴回り部
１５  前身頃中央側裾部
２０  袖部
２１  袖付け部
２２  袖口部
３０  ファスナー
３１  ファスナー開き止り
１００  前開き上衣
【図１】
2011153383.tif 000003
【図２】
2011153383.tif 000004
【図３】
2011153383.tif 000005
【図４】
2011153383.tif 000006
【図５】
2011153383.tif 000007
【図６】
2011153383.tif 000008